(57)【要約】【課題】上下非対称の形状をしたラップ式タイルにおいて、寸法精度が良好な出隅用のラップ式タイルを提供することにある。【解決手段】面板部の上端から背部側に屈曲させたリブを備えると共に、このリブの下方に連ねて係合部を形成し、更に前記面板部の背部の下端には下段配置のタイルのリブを覆うように位置する尾部を備えプレス成形されたラップ式のタイルであって、前記係合部を該タイルの側端のどちらか一方まで形成し、他端には該タイルの厚さよりも大きくなるような側縁部を設け、かつ前記側縁部を設けた方の前記リブを欠いた形状とした。【選択図】　図２
2004132134.tif 000002
【特許請求の範囲】
【請求項１】
面板部の上端から背部側に屈曲させたリブを備えると共に、このリブの下方に連ねて係合部を形成し、更に前記面板部の背部の下端には下段配置のタイルのリブを覆うように位置する尾部を備えプレス成形されたラップ式のタイルであって、前記係合部を該タイルの側端のどちらか一方まで形成し、他端には該タイルの厚さよりも大きくなるような側縁部を設け、かつ前記側縁部を設けた方の前記リブを欠いた形状としたことを特徴とする出隅用ラップ式タイル。
【請求項２】
前記側縁部に１箇所もしくは複数箇所の凹部を設けたことを特徴とした請求項１記載の出隅用ラップ式タイル。
【請求項３】
前記側縁部の表面側の出隅部となる部分を弧状とした請求項１または２記載の出隅用ラップ式タイル。
【請求項４】
前記側縁部の表面側の出隅部となる部分をテーパー状とした請求項１または２記載の出隅用ラップ式タイル。
【発明の詳細な説明】
【０００１】
【発明の属する技術分野】
本発明は、建築物の外壁を構成するタイルに関するもので、特に上下に配置されたタイルの下端と上端が重なり合う出隅用ラップ式タイルに関する。
【０００２】
【従来の技術】
従来、建築物の壁面に、面板部の上端から背部側に屈曲させたリブを備えると共に、このリブの下方に連ねて係合部を形成し、更に前記面板部の背部の下端には下段配置のタイルのリブを覆うように位置する尾部を備えたプレス成形されたラップ式のタイルが用いられており、その出隅部には、ラップ式タイルを切断加工し、接着加工をした直角状のラップ式タイルが使われている。
【０００３】
また、ラップ式ではないタイルの場合は、タイルを切断加工し、接着加工をした直角状のタイルに加え、裏面に一方の端面から形成する掛止凹溝を製品の厚さ以下の長さを残して、他方の端面の手前で終了させ、該他方の端面を充実面としたタイルにより、出隅を構成するものがある。このタイルを使用した場合、接着加工をした直角状のタイルに比べ、材料費を抑えることが可能となる。
（特許文献１　図１参照）
【０００４】
【特許文献１】
特開２０００−２７４０５１号公報
【０００５】
【発明が解決しようとする課題】
このような裏面に一方の端面から形成する掛止凹溝を製品の厚さ以下の長さを残して、他方の端面の手前で終了させ、該他方の端面を充実面としたタイルを上記特許文献１に記載された上下対称形状のタイルでは製造が容易であるが、プレス成形でラップ式タイルを成形する場合、ラップ式タイルが上下非対称の形状をしていることに起因にして、焼成後、タイルの変形が起こる可能性が高い。また、上下非対称の形状のラップ式のため、出隅におけるリブと尾部の重ね合わせが難しい。
【０００６】
本発明は、上記課題を解決するためになされたもので、本発明の目的は、上下非対称の形状をしたラップ式タイルにおいて、リブと尾部の重ね合わせがよく、また、寸法精度が良好な出隅用ラップ式タイルを提供することにある。
【０００７】
【課題を解決するための手段】
上記目的を達成するために本発明は、面板部の上端から背部側に屈曲させたリブを備えると共に、このリブの下方に連ねて係合部を形成し、更に前記面板部の背部の下端には下段配置のタイルのリブを覆うように位置する尾部を備えプレス成形されたラップ式のタイルであって、前記係合部を該タイルの側端のどちらか一方まで形成し、他端には該タイルの厚さよりも大きくなるような側縁部を設け、かつ前記側縁部を設けた方の前記リブを欠いた形状としたことを特徴とする。上記出隅用ラップ式タイルにおいては、施工の際、上側のタイルが下側のタイルに被さるよう前記側縁部を設けた方の前記リブをを欠いた形状とし、また、タイル側部のうち、どちらか一方の前記係合部を含む凹部において、タイル側端からタイルの厚さよりも大きくなるような側縁部を設けることで、寸法精度が良好でリブと尾部の重ね合わせがよい出隅用のラップ式タイルの製造が可能となる。
【０００８】
本発明の好ましい態様として、前記側縁部に１箇所もしくは複数箇所の凹部を設けたことを特徴とする。
上記出隅用ラップ式タイルにおいて、前記側縁部に１箇所もしくは複数箇所に凹部を設けることで、原料充填を調整することができ、これにより寸法精度がより良好な出隅用のラップ式タイルの製造が可能となる。
【０００９】
本発明の好ましい態様として、前記側縁部の表面側の出隅部となる部分を弧状としたことを特徴とする。
上記出隅用ラップ式タイルにおいて、前記側縁部の表面側の出隅部となる部分を弧状とすることで、原料充填を調整することができ、これにより寸法精度がより良好な出隅用のラップ式タイルの製造が可能となる。
【００１０】
本発明の好ましい態様として、前記側縁部の表面側の出隅部となる部分をテーパー状としたことを特徴とする。
上記出隅用ラップ式タイルにおいて、前記側縁部の表面側の出隅部となる部分を弧状とすることで、原料充填を調整することができ、これにより寸法精度がより良好な出隅用のラップ式タイルの製造が可能となる。
【００１１】
【発明の実施の形態】
本発明の出隅用ラップ式タイル、およびそれを用いた建築物の出隅部の構成方法を図１〜図５に沿って説明する。
【００１２】
図１は、本発明の出隅用ラップ式タイルを正面側から見た斜視図であり、図２は、背面側から見た斜視図である。
図１、図２において、タイル１は、一様な平坦面として形成される面板部２、面板部の上端縁に沿って形成され裏面側に曲げられたラップ用のリブ３および面板部２の下端側の裏面に尾部４を有している。
また、図２において、裏面側の左右方向に溝５が形成され、その上部がリブ３に連なる係合部となる。この係合部はタイルの左側端まで形成され、他端の右端部にはタイル側端からタイルの厚さよりも大きくなるような側縁部６を設けられ、かつタイル側部のうち、側縁部６を設けた方のリブを欠いた形状としている。側縁部６を設けた方のリブを欠くことで、上側にくるタイルが被さるようにラップすることが可能となる。欠きの大きさは面板部とリブとの段差程度が好ましい。
【００１３】
また、側縁部６に部分的に、凹部７を設けた形状としている。側縁部に凹部を設けることで、プレス成形時の原料充填を調整することが可能となる。原料充填が密になっている部分に比較して、原料充填が粗の部分は焼成後収縮が大きいため、焼成後のタイルに変形が起こる。原料充填が粗の部分に凹部を設けることで、原料充填を調整することができ、寸法精度の良好なタイルを得ることが可能である。
【００１４】
図３は、特殊な形状の出隅用ラップ式タイル１を用いた建築物の出隅部の構成方法を示す斜視図である。図１、図２記載の出隅用ラップ式タイルの使用方法が示されている。
【００１５】
図４は、本発明の他の実施例である出隅用ラップ式タイルを正面側から見た斜視図である。
図において、タイル９は、一様な平坦面として形成される面板部２、面板部の上端縁に沿って形成され裏面側に曲げられたラップ用のリブ３を有している。
また、タイル側部のうち、正面側から見て左方のタイル側端からタイルの厚さよりも大きくなるような側縁部６を設け、かつタイル側部のうち、側縁部を設けた方のリブを欠いた形状としている。側縁部を設けた方のリブを欠くことで、上側にくるタイルが被さるようにラップすることが可能となる。
また、面板部のうち、側端部を有する側のタイル側端の表面側を弧状とすることで、プレス成形時の原料充填を調整することが可能となる。原料充填が密になっている部分に比較して、原料充填が粗の部分は焼成後収縮が大きいため、焼成後のタイルに変形が起こる。原料充填が粗の部分を弧状にすることで、原料充填を密にすることができ、寸法精度の良好なタイルを得ることが可能である。
【００１６】
図５は、本発明の他の実施例である出隅用ラップ式タイルを正面側から見た斜視図である。
図において、タイル１０は、一様な平坦面として形成される面板部２、面板部の上端縁に沿って形成され裏面側に曲げられたラップ用のリブ３を有している。また、タイル側部のうち、正面側から見て左方のタイル側端からタイルの厚さよりも大きくなるような側縁部６を設け、かつタイル側部のうち、側縁部を設けた方のリブを欠いた形状としている。側縁部を設けた方のリブを欠くことで、上側にくるタイルが被さるようにラップすることが可能となる。
また、面板部のうち、側端部を有する側のタイル側端の表面側をテーパー状とすることで、プレス成形時の原料充填を調整することが可能となる。原料充填が密になっている部分に比較して、原料充填が粗の部分は焼成後収縮が大きいため、焼成後のタイルに変形が起こる。原料充填が粗の部分をテーパー状にすることで、原料充填を密にすることができ、寸法精度の良好なタイルを得ることが可能である。
【００１７】
【発明の効果】
本発明では、プレス成形されたラップ式のタイルの側縁部をタイルの厚さよりも大きくなるようにし、かつ、前記側縁部を設けた方の前記リブを欠いた形状としたので、リブと尾部の重ね合わせがよく、また、寸法精度が良好な出隅用ラップ式タイルを得ることができる。
【図面の簡単な説明】
【図１】本発明の一実施例である出隅用ラップ式タイルを正面側から見た斜視図である。
【図２】本発明の一実施例である出隅用ラップ式タイルを背面側から見た斜視図である。
【図３】本発明の一実施例である出隅用ラップ式タイルを用いた建築物の出隅部の構成方法を示す斜視図である。
【図４】本発明の他の実施例である出隅用ラップ式タイルを正面側から見た斜視図である。
【図５】本発明のさらに他の実施例である出隅用ラップ式タイルを正面側から見た斜視図である。
【符号の説明】
１…出隅用ラップ式タイル、２…面板部、３…リブ、４…尾部、５…係合部、
６…側縁部、７…凹部、８…ラップ式タイル、９…出隅用ラップ式タイル、
１０…出隅用ラップ式タイル
【図１】
2004132134.tif 000003
【図２】
2004132134.tif 000004
【図３】
2004132134.tif 000005
【図４】
2004132134.tif 000006
【図５】
2004132134.tif 000007